(57)【要約】      （修正有）【課題】乗り物や、輸送手段において、非常に効率の良い、静かなエコロジーシステムを提供する。【解決手段】燃料電池や超伝導モーターや超伝導ジェネレーターを組み合わせたエコロジーシステムとする。【選択図】図１１１
2006339133.tif 000002
【特許請求の範囲】
【請求項１】
明細書と図面によって示唆されたエコロジー・システム。
【請求項２】
燃料電池やモーターやジェネレーターを使用するエコロジーシステム。
【請求項３】
燃料電池や超伝導モーターや超伝導ジェネレーターを使用するＢＬ、ＰＷＭとＰＤＩ制御を使用するエコロジーシステム。
【発明の詳細な説明】
【技術分野】
【０００１】  本発明は、効率的なエコロジー・システムに関する。
【背景技術】
【０００２】  従来のエコシステムは、単に太陽電池と蓄電池をつなげて、エネルギーを蓄えるものであった。
【発明の開示】
【発明の開示しようとする課題】
【０００３】  以上に述べたエコシステムは、あまり効率が良いといえるものではなかった。
【０００４】  特に、乗り物や、輸送手段において、あまり効率の良いシステムは存在しなかった。
【０００５】  本発明は、このような従来の構成が有していた問題を解決しようとするものであり、非常に効率の良いエコロジー・システムを実現することを目的とするものである。
【０００６】  本発明は、とても静かなエコロジー・システムであることを目的とするものである。
【０００７】  本発明は、未来を予知若しくは推測しながら、最適な判断をすることを目的とするものでもある。
【０００８】  本発明の移動体については、効率よく瞬間移動することを目的とする。
【発明を解決するための手段】
【０００９】  そして、本発明は上記目的を達成するために、エネルギー効率と、若しくはエントロピー効率が良いシステムを有するシステムである。
【００１０】本発明は、効率を上げるため、エンティティー機構を有する。エンティティー機構はエネルギー効率やエントロピー効率を上げるため、エネルギー・エントロピー機構を有する。エネルギーやエントロピーといったものを包括するエンティティーをＥと表記する。そして、以下エネルギー・エントロピー機構といったものを包括するエンティティー機構をＥ機構と表記する。Ｅ機構は、Ｅ、Ｅ入体、Ｅ出体、Ｅ伝達体、Ｅ保有体、Ｅ生成体、Ｅ生成要素体、Ｅ変換体、Ｅコンデンス体、Ｅ保有容体、Ｅ制御体、Ｅ構成体であるグループから構成される。これらは、ＹＯＳＨＩＮＯ  ＵＮＩＶＥＲＳＥのエレメントであり、吉野宇宙体に属する。
Ｅ入体は、エンティティー、エネルギー、エントロピー、ヒカリ、風、熱、電気、電界、磁界、時期、運動、相対差、量や質量のＥを入れる。
Ｅ出体は、エンティティー、エネルギー、エントロピー、ヒカリ、風、熱、電気、電界、磁界、時期、運動、相対差、量や質量のＥを出す。
Ｅ伝達体は、Ｅを伝達やトランスファーする。
Ｅ保有体は、Ｅを保有や貯蓄や蓄電する。
Ｅ生成体は、エンティティー、エネルギー、エントロピー、ヒカリ、風、熱、電気、電界、磁界、時期、運動、相対差、量や質量を生成する。
Ｅ生成要素体は、エンティティー、エネルギー、エントロピー、ヒカリ、風、熱、電気、電界、磁界、時期、運動、相対差、量や質量を生成する素である。
Ｅ変換体は、エンティティー、エネルギー、エントロピー、ヒカリ、風、熱、電気、電界、磁界、時期、運動、相対差、量や質量をそれ自身かほかの形態に変換する。
Ｅ保有容体は、エンティティー、エネルギー、エントロピー、ヒカリ、風、熱、電気、電界、磁界、時期、運動、相対差、量や質量をコンテインする。
Ｅ構成体は、エンティティー、エネルギー、エントロピー、ヒカリ、風、熱、電気、電界、磁界、時期、運動、相対差、量や質量が目的のように機能する構成を成す。
【００１１】Ｅ入体は、太陽発電機、ソーラーパネル、といったものを包括するグループから構成される。
Ｅ出体は、モーター、スーパーコンダクター、超伝導モーター、超伝導発電機、燃料電池、熱放出体といったものを包括するグループから構成される。
Ｅ伝達体は、ワイヤー、ワイヤレス、電線、ヒートパイプ、パイプ、線、道、コネクターといったものを包括するグループから構成される。
Ｅ保有体は、バッテリー、蓄電池、コンデンサー、コイル、超伝導コイル、超伝導コンデンサーといったものを包括するグループから構成される。
Ｅ生成体は、燃料電池、熱電池、エネルギー電池、電池、バッテリーや蓄電池といったものを包括するグループから構成される。
Ｅ生成要素体は、水素、酸素、金属、石油、アルコール、天然ガス、有機物、無機物、パーティクル、気体、液体、固体、プラズマといったものを包括するグループから構成される。
電界、磁界、時期、運動、相対差、量や質量を生成する素である。
Ｅ変換体は、Ｅ変換装置、変形装置、変化装置、反応炉といったものを包括するグループから構成される。
Ｅコンデンス体は、コンプレッサー、濃度制御装置、濃度コントロール体、凝縮体、凝縮装置、拡大体、拡大装置、変形層体変形装置といったものを包括するグループから構成される。
Ｅ保有容体は、コンテイナー、絶縁体、熱機構、ボディー、吸音体といったものを包括するグループから構成される。
Ｅ構成体は、アーキテクチャー、マトリクス、フレーム、ボディー、ストラクチャー、固体、金属、プラスチック、液体、気体、シールド、シート、プラズマ、フィールド、解、界、空海陸、構成要素、構成物、構成材、情報、物といったものを包括するグループから構成される。
【０００１２】  本発明は、必要であれば、吉野・タイム・マシン・システムと協力し、未来を予知、推測、シュミレート、解析、記憶、若しくは記録しながら、安全若しくは最適な判断をする機構を有するシステムである。
【０００１３】Ｅ生成体は、燃料電池、熱電池、エネルギー電池、電池、バッテリーや蓄電池といったものを包括するグループから成り、Ｅ生成要素体である水素、酸素、金属、石油、アルコール、天然ガス、有機物、無機物、パーティクル、気体、液体、固体、プラズマといったものを包括するグループから、エネルギーを出す。燃料電池は、プロトン・イクスチェンジ・メンブレン燃料電池、アルカリ燃料電池、フォスポリック・アシッド燃料電池、ソリッド・オキサイド燃料電池、モルテン・カーボネート燃料電池、水素・酸素・燃料電池、水酸燃料電池といったものを包括するグループから構成される。
燃料電池や燃料発熱からくる燃料推進力を、簡単にすると
【式１】
となる。
2006339133.tif 000003
【０００１４】  熱効率を上げるため、熱機構を有する。熱機構は断熱機構や熱伝達機構を有する。断熱機構は断熱材や断熱容器や断熱壁により構成されている。エレメントが壁面と衝突する際、ほぼ完全弾性的なバウンスや反射をすることにより、ほぼ完全な断熱機構を有する。壁面は非常に硬いか、ばねの様な構成をしていて、エレメントを跳ね返す。壁面の反対側は、真空か気体か液体か固体でありえる。液体化水素のようなものを入れて、温度を低く保つのも本発明の選択の一つとする。熱伝達機構として、ほぼ真空、気体、液体、固体、プラズマ体、ヒートパイプやペルチエ素子を有する。
【０００１５】  本発明は、オルターネティヴに超伝導体、スーパーコンダクター体を有する。超伝導体は超伝導体の磁石やモーターや発電機や冷却体や制御体により構成される。超伝導モーターや超伝導発電機はブラシレスのものを含む。冷却体や制御体は温度調整体、冷却装置体や冷却要素体を有する。温度調整体は、ピエゾ素子や熱・電気変換機や電気・熱変換機や温度センサや制御機を含む。冷却要素体は、超伝導体、水、空気、天然ガス、気体、液体、固体、水素、酸素、窒素、液体水素、液体酸素、液体窒素、液体ヘリウムを含む。
冷却装置体はイオン・冷却装置やフィールド・冷却機を含む。
フィールド冷却機は、フィールドを利用して、冷却要素体を冷却する。それを表記する際、簡単にした式は、
【式２】
となる。ここで、Ｐは圧力、ρは密度、ｖは速度、ｈは高さ、
ｇは重力係数、ｋはフィールド係数、ηは電荷や磁荷や電化係数や磁化係数や荷密度、φは電界や磁界や電解率やフィールドやフィールド・ポテンシャルやフィールド・デンシティー。添え字はインデックスであるが、ほかの選択も色々ある。また、パーティクルの温度を下げたとき、
【式３】
のように、エネルギー・ノーバが予測できる。
2006339133.tif 000004
2006339133.tif 000005
【０００１６】  Ｅ制御体や超伝導制御体は、フィードフォーワード制御、フィードバック制御、ＰＷＭやＰＩＤ制御、非線形制御、最小値制御、自動微分制御、自動積分制御、ファジー制御、ニューラル制御、アドバンスド・ファジー制御、アドバンスドニューラル制御のような最適制御を使用する。
【０００１８】  また、第２の課題解決手段は、吸音材、吸音容器、吸音壁を配置する構成としたものである。これらは、振動がほぼ伝わらないため、熱機構として兼用される。
【０００１９】  本発明は、必要ならば、移動体が瞬間移動する機構を有する。これは、吉野システムによってなされる。
【発明の効果】
【０００２０】  上述したように本発明のエコロジー・システムは、非常に効率よく運営されることができる。実施の形態によっては、ほぼ永久機関のようであることも可能である。
【０００２１】  本発明は、とても静かなエコロジー・システムである。
【０００２２】  本発明は、未来を予知若しくは推測しながら、最適な判断をすることができる。つまり、車や乗り物に関与する実施の形態によっては、事故が減るという効果を発揮するものである。
【０００２３】  本発明において、移動体については効率よく、どこでも瞬間移動することができる。
【発明を実施するための最良の形態】
【０００２４】ＰＷＭ＋ＰＩＤコントロール
スペシャルモーター（スーパーコンダクター）
本発明は、磁化されたレアメタルやＭｇといった金属に、（液体）水素をしみこませる。これと、超伝導マグネットを組み合わせて、超伝導モーターや超伝導発電（機）を構成させる。摩擦、振動、熱、エネルギー、（又は、外部エネルギー）を利用して、水素の発生をさせ、その水素を液化して、超伝導体の冷却に使用、若しくは燃料電池に使用する。
液体水素や冷却機で超伝導体や超伝導マグネットを囲むようなモーターや発電機でもよい。
【図面の簡単な説明】
【０００２５】
【図１２】Ｓｈａｍｏｃｈａｎ人形、ロボット。これは、吉野システム、人工知能、燃料、水素、酸素、燃料電池、コンパクトディスク、ハードディスク、目、成長部、芽、花、鼻、口、顔、頭、耳、手、体、足、モーター、エンジン、駆動部、コントローラー、尻尾、ＵＳＢコネクター、ワイヤレス・システム、バッテリー、イヤフォン、ミュージック・ディバイス、ディバイス、コンピューター、メモリー、記録媒体、再生機、変換機、コミュニケーター、スピーカー、バターン認識システム、音声認識システム、画像認識システム、脳といった構成物の組み合わせからなる。
【図２６】モーター、超伝導モーター
【図２７】超伝導モーターＡｎｄ／Ｏｒ超伝導発電体（装置）
【図２８】超伝導モーターＡｎｄ／Ｏｒ超伝導発電体（装置）
【図２９】超伝導モーターＡｎｄ／Ｏｒ超伝導発電体（装置）  超伝導マグネットが冷却体に冷やされている。冷却液が液体水素の場合、これは超伝導体により、発熱され水素のとある形態に変換される。そして、燃料電池で、酸素と反応をして、水となりエネルギーを発生させる。
【図３３】制御システム、無線制御装置、制御ユニット、イミター、レシーバー、司令部、メモリー、回路
【図３４】制御システム、無線制御装置、制御ユニット、イミター、レシーバー、司令部、メモリー、回路
【図３５】制御システム、無線制御装置、制御ユニット、イミター、レシーバー、司令部、メモリー、回路
【図３６】制御システム、無線制御装置、制御ユニット、イミター、レシーバー、司令部、メモリー、回路
2006339133.tif 000006
【図５６】フィードバック制御例
【図５７】ＰＩＤ制御例、ＰＷＭ制御と組み合わせて使われていてもよい。
【図６４】右のコネクションはエンティティやエネルギー、エントロピー、Ｅ。左のコネクションはエレメント。２，３，５より６／２／１７／１９はエネルギー補給。７‘、８’は
【符号の説明】
１  エネルギー
２  光合成システム、光合成装置、ヒカリ・合成システム、ヒカリ・システム、ソーラー・パネル、ソーラー・シングル、ソーラー屋根、ソーラー壁、ソーラー・フロア、ダイヤモンド・コーティング・ソーラー・システム、ソーラー・システム、太陽光発電装置、風力発電、変換機、変換素子、熱電気変換機、電気熱変換機、エネルギー変換機、核融合炉、核反応炉、ガス・エネルギー・ジェネレーター、天然ガス発電機、ジェネレーター、エンジン、モーター、発電機、天然ガス・エンジン、水素エンジン、ターボ・モーター、ターボ・エンジン、
３  バッテリー、キャパシター、コンデンサー、電界コンデンサー、電池、燃料電池、太陽電池、コイル、エネルギー・チャージャー、エネルギー・保有体、エントロピー・保有体。
４
５
６
７  気体、ガス、状態１、Ｈ２、Ｈ２Ｏ、Ｏ２、ＣＯ２、水、水素、酸素、二酸化炭素、エア、空気、天然ガス、無機物、金属、炭水化物、有機物、科学物質、化学物質、物理物質、単気体、混合気体、単液体、混合液体、単固体、混合固体、単プラズマ体、混合プラズマ体、
８  液体、リキッド、状態２、Ｈ２、Ｏ２、Ｈ２Ｏ、ＣＯ２、水、水素、酸素、二酸化炭素、空気、天然ガス、無機物、金属、炭水化物、有機物、科学物質、化学物質、物理物質、単気体、混合気体、単液体、混合液体、単固体、混合固体、単プラズマ体、混合プラズマ体、
９
１０
１１  オプショナル・エンジン、エンジン
１２
１３
１４
１５
１６
１７  モーター、エンジン、水素モーター、水素エンジン、ターボ・モータ、ターボ・エンジン、
１８
１９  超伝導体、超伝導・モーター、超伝導・ジェネレーター、超伝導・モーター＆超伝導・ジェネレーター、
ブラシレス・超伝導・モーター、ブラシレス・超伝導・ジェネレーター、ブラシレス・超伝導・モーター＆ブラシレス・超伝導・ジェネレーター、
超伝導磁石、スーパーコンダクター・マグネット、スーパーコンダクター・コイル、コイル、スーパーコンダクター・キャパシター、スーパーコンダクター・コンデンサー、キャパシター、スーパーコンダクター・タイプＩ・マグネット、スーパーコンダクター・タイプＩＩ・マグネット、スーパーコンダクター・タイプＩＩＩ・マグネット
２０  冷却機、クール・システム、クーリング・システム、冷却体、放熱板、ヒートパイプ、ターボ・冷却機、ターボ・クーリング・システム。
２１  ボディー、コンテイナー、コントローラー、Ｅコントロール体、車体、断Ｅ体、断熱体、断熱材、壁、ポテンシャル・メーカー、超・熱反射体、断熱内部体、真空、真空体、ガス体、液体、固体、プラズマ体、ダイヤモンド、ダイヤモンド・ライク・カーボン、セラミック、超伝導体、スーパーコンダクター、銀、アルミ、金属、科学物質、物理物質。
２２
２３
２４
２５
２６
２７
２８
２９
３０
３１
３２
３３
３４
３５  吉野システム、コンピューター、人工知能、アドバンスド・ニューラル・ネットワーク、シュミレーター、アナライザー、コントローラー、セントラル・プロセッシング・ユニット、ＣＰＵ、モルティプル・プロセッシング・ユニット、ＭＰＵ、ミディア・プロセッシング・ユニット、集積回路、主席回路、コミュニケーター、コード、指令を送るユニット、指令などに合わせてそれぞれのユニットと情報のやり取りを行うユニット、それぞれのユニットと情報のやり取りを行うユニット。
３６  クラッチ、オプショナル・クラッチ、
３７
３８
３９
４０
４１
４２
４３
４４
４５  ディスプレイ、３Ｄ  ディスプレイ、  ３Ｄディジタイザー、カメラ、３Ｄインプットｏｒアウトプット、
４６
４７  記録メディア、記録媒体、ハードディスク、コンパクト・ディスク、ミニ・ディスク、メモリ、
４８
４９
５０
５１
５２
５３
５４
５５
５６
５７
５８  耳、マイクロフォン、アンテナ、イヤフォン、伸び縮みするワイヤーのイヤフォ、
５９
６０
６１
６２
６３
６４
６５
６６
６７
６８
６９
７０  ユニバーサル・バス、ＵＳＢ、ワイヤレス、アンテナ、
７１
７２
７３
７４
７５
７６
７７  スイッチャー、スイッチ、トランジスタ、スイッチング・トランジスタ、スイッチ・ＩＣ、ＴＴＬ、Ｃ−ＭＯＳ、レジスタ、キャパシター、コイル、可変抵抗、可変コンデンサー、可変コイル、ダイオード、セラミック、バッテリー、ヒートパイプ、熱抵抗体、電気機器、ねじ、パーツ、システム、コントローラー、レシーバー、イミッター、コンピューター、オプティカル・ディバイス、オプティカル・インスタルメンツ、インスタルメンツ、変換機、解析機、微分回路、積分回路、Ｄ／Ａ変換機、Ａ／Ｄ変換機、コンバーター、Ｆ／Ｖコンバーター、Ｖ／Ｆコンバーター、制御機、ＰＷＭ制御機、ＰＩＤ制御機、非線形制御機、人工知能機、ファジー制御機、ニューラルネットワーク体、最適制御システム、システム、吉野システム。
７８  ウィール、タイヤ、ラウンド・オブジェクト、
７９  イグニション、点火部、発火部、
８０  反応炉、リアクション部、プロモーター、
８１  センサー、検査部、検知部、センシング・ディバイス
８２  イクスチェンジ・ユニット、イクスチェンジャー、
2006339133.tif 000007
Ａｐｐｌｉｃａｎｔ  ｌｉｋｅｓ  ｔｏ  ｍｉｎｉｍｉｚｅ  ｔｈｅ  ｃｒｉｔｅｒｉｏｎ  ｆｕｎｃｔｉｏｎ，
2006339133.tif 000008
ｗｈｅｒｅ  Ｅ  ｍｅａｎｓ  ｅｎｔｉｔｙ  ｓｕｃｈ  ａｓ  ｅｎｅｒｇｙ，ｅｎｔｒｏｐｙ  ａｎｄ  ｃｒｉｔｅｒｉｏｎ  ｆｕｎｃｔｉｏｎ．Ｍ  ｍａｙ  ｂｅ  ｍａｓｓ，ａｎｄ  Ｎ  ｍａｙ  ｂｅ  ｗｅｉｇｈｔ．Ｆｉｎｄｉｎｇ  ｔｈｅ  ｍｉｎｉｍｕｍ  Ｅ  ｍａｙ  ｂｅ  ｅｆｆｅｃｔｉｖｅ  ｉｎ  ｔｈｉｓ  ｉｎｖｅｎｔｉｏｎ．
Ｔｈｅｎ，ｔｈｅｒｅ  ａｒｅ  ｒｅｌａｔｉｏｎｓｈｉｐ  ｂｅｔｗｅｅｎ  ｃ  ａｎｄ  ｕ．
ｃ（ｔ）＝−Ｖｕ（ｔ）．ｗｈｅｒｅ  Ｖ  ｉｓ  ｓｏｌｖｅｄ  ｂｙ  Ｐｏｔｔｅｒ  ｍｅｔｈｏｄ  ａｎｄ／ｏｒ  Ｓｃｈｕｒ  ｍｅｔｈｏｄ．
Ｖ＝Ｎ−１（ＳＴ＋ＢＴＰ），ｗｈｅｒｅ  Ｐ  ｉｓ  ｓｕｃｈ  ａｓ
Ｐ（Ａ−ＢＮ−１ＳＴ）＋（Ａ−ＢＮ−１ＳＴ）ＴＰ−ＰＢＮ−１ＢＴＰ＋Ｍ−ＳＮ−１ＳＴ＝０
2006339133.tif 000009
Ｈ＝ＵＬＵＴ
2006339133.tif 000010
ＰＵ１１＝Ｕ２１
【図１】
2006339133.tif 000011
【図２】
2006339133.tif 000012
【図３】
2006339133.tif 000013
【図４】
2006339133.tif 000014
【図５】
2006339133.tif 000015
【図６】
2006339133.tif 000016
【図７】
2006339133.tif 000017
【図８】
2006339133.tif 000018
【図９】
2006339133.tif 000019
【図１０】
2006339133.tif 000020
【図１１】
2006339133.tif 000021
【図１２】
2006339133.tif 000022
【図１３】
2006339133.tif 000023
【図１４】
2006339133.tif 000024
【図１５】
2006339133.tif 000025
【図１６】
2006339133.tif 000026
【図１７】
2006339133.tif 000027
【図１８】
2006339133.tif 000028
【図１９】
2006339133.tif 000029
【図２０】
2006339133.tif 000030
【図２１】
2006339133.tif 000031
【図２２】
2006339133.tif 000032
【図２３】
2006339133.tif 000033
【図２４】
2006339133.tif 000034
【図２５】
2006339133.tif 000035
【図２５】
2006339133.tif 000036
【図２６】
2006339133.tif 000037
【図２７】
2006339133.tif 000038
【図２８】
2006339133.tif 000039
【図２９】
2006339133.tif 000040
【図３０】
2006339133.tif 000041
【図３１】
2006339133.tif 000042
【図３２】
2006339133.tif 000043
【図３３】
2006339133.tif 000044
【図３４】
2006339133.tif 000045
【図３５】
2006339133.tif 000046
【図３６】
2006339133.tif 000047
【図３７】
2006339133.tif 000048
【図３８】
2006339133.tif 000049
【図３９】
2006339133.tif 000050
【図４０】
2006339133.tif 000051
【図４１】
2006339133.tif 000052
【図４２】
2006339133.tif 000053
【図４３】
2006339133.tif 000054
【図４４】
2006339133.tif 000055
【図４５】
2006339133.tif 000056
【図４６】
2006339133.tif 000057
【図４７】
2006339133.tif 000058
【図４８】
2006339133.tif 000059
【図４９】
2006339133.tif 000060
【図５０】
2006339133.tif 000061
【図５１】
2006339133.tif 000062
【図５２】
2006339133.tif 000063
【図５３】
2006339133.tif 000064
【図５４】
2006339133.tif 000065
【図５５】
2006339133.tif 000066
【図５６】
2006339133.tif 000067
【図５７】
2006339133.tif 000068
【図５８】
2006339133.tif 000069
【図５９】
2006339133.tif 000070
【図６０】
2006339133.tif 000071
【図６１】
2006339133.tif 000072
【図６２】
2006339133.tif 000073
【図６３】
2006339133.tif 000074
【図６４】
2006339133.tif 000075
【図６４】
2006339133.tif 000076
【図６４】
2006339133.tif 000077
【図６５】
2006339133.tif 000078
【図６６】
2006339133.tif 000079
【図６７】
2006339133.tif 000080
【図６８】
2006339133.tif 000081
【図６９】
2006339133.tif 000082
【図７０】
2006339133.tif 000083
【図７１】
2006339133.tif 000084
【図７２】
2006339133.tif 000085
【図７３】
2006339133.tif 000086
【図７４】
2006339133.tif 000087
【図７５】
2006339133.tif 000088
【図７６】
2006339133.tif 000089
【図７８】
2006339133.tif 000090
【図７９】
2006339133.tif 000091
【図８０】
2006339133.tif 000092
【図８１】
2006339133.tif 000093
【図８２】
2006339133.tif 000094
【図８３】
2006339133.tif 000095
【図８４】
2006339133.tif 000096
【図８５】
2006339133.tif 000097
【図８６】
2006339133.tif 000098
【図８７】
2006339133.tif 000099
【図８８】
2006339133.tif 000100
【図８９】
2006339133.tif 000101
【図９０】
2006339133.tif 000102
【図１００】
2006339133.tif 000103
【図１０１】
2006339133.tif 000104
【図１０２】
2006339133.tif 000105
【図１０３】
2006339133.tif 000106
【図１０４】
2006339133.tif 000107
【図１０５】
2006339133.tif 000108
【図１０６】
2006339133.tif 000109
【図１０７】
2006339133.tif 000110
【図１０８】
2006339133.tif 000111
【図１０９】
2006339133.tif 000112
【図１１０】
2006339133.tif 000113
2006339133.tif 000114
【図１１１】
2006339133.tif 000115
【図１１２】
2006339133.tif 000116
【手続補正書】
【提出日】平成17年11月5日(2005.11.5)
【手続補正２】
【補正対象書類名】明細書
【補正対象項目名】全文
【補正方法】変更
【補正の内容】
【発明の詳細な説明】
【技術分野】
【０００１】  本発明は、効率的なエコロジー・システムに関する。
【背景技術】
【０００２】  従来のエコシステムは、単に太陽電池と蓄電池をつなげて、エネルギーを蓄えるものであった。
【発明の開示】
【発明の開示しようとする課題】
【０００３】  以上に述べたエコシステムは、あまり効率が良いといえるものではなかった。
【０００４】  特に、乗り物や、輸送手段において、あまり効率の良いシステムは存在しなかった。
【０００５】  本発明は、このような従来の構成が有していた問題を解決しようとするものであり、非常に効率の良いエコロジー・システムを実現することを目的とするものである。
【０００６】  本発明は、とても静かなエコロジー・システムであることを目的とするものである。
【０００７】  本発明は、未来を予知若しくは推測しながら、最適な判断をすることを目的とするものでもある。
【０００８】  本発明の移動体については、効率よく瞬間移動することを目的とする。
【発明を解決するための手段】
【０００９】  そして、本発明は上記目的を達成するために、エネルギー効率と、若しくはエントロピー効率が良いシステムを有するシステムである。
【００１０】本発明は、効率を上げるため、エンティティー機構を有する。エンティティー機構はエネルギー効率やエントロピー効率を上げるため、エネルギー・エントロピー機構を有する。エネルギーやエントロピーといったものを包括するエンティティーをＥと表記する。そして、以下エネルギー・エントロピー機構といったものを包括するエンティティー機構をＥ機構と表記する。Ｅ機構は、Ｅ、Ｅ入体、Ｅ出体、Ｅ伝達体、Ｅ保有体、Ｅ生成体、Ｅ生成要素体、Ｅ変換体、Ｅコンデンス体、Ｅ保有容体、Ｅ制御体、Ｅ構成体であるグループから構成される。これらは、ＹＯＳＨＩＮＯ  ＵＮＩＶＥＲＳＥのエレメントであり、吉野宇宙体に属する。
Ｅ入体は、エンティティー、エネルギー、エントロピー、ヒカリ、風、熱、電気、電界、磁界、時期、運動、相対差、量や質量のＥを入れる。
Ｅ出体は、エンティティー、エネルギー、エントロピー、ヒカリ、風、熱、電気、電界、磁界、時期、運動、相対差、量や質量のＥを出す。
Ｅ伝達体は、Ｅを伝達やトランスファーする。
Ｅ保有体は、Ｅを保有や貯蓄や蓄電する。
Ｅ生成体は、エンティティー、エネルギー、エントロピー、ヒカリ、風、熱、電気、電界、磁界、時期、運動、相対差、量や質量を生成する。
Ｅ生成要素体は、エンティティー、エネルギー、エントロピー、ヒカリ、風、熱、電気、電界、磁界、時期、運動、相対差、量や質量を生成する素である。
Ｅ変換体は、エンティティー、エネルギー、エントロピー、ヒカリ、風、熱、電気、電界、磁界、時期、運動、相対差、量や質量をそれ自身かほかの形態に変換する。
Ｅ保有容体は、エンティティー、エネルギー、エントロピー、ヒカリ、風、熱、電気、電界、磁界、時期、運動、相対差、量や質量をコンテインする。
Ｅ構成体は、エンティティー、エネルギー、エントロピー、ヒカリ、風、熱、電気、電界、磁界、時期、運動、相対差、量や質量が目的のように機能する構成を成す。
【００１１】Ｅ入体は、太陽発電機、ソーラーパネル、といったものを包括するグループから構成される。
Ｅ出体は、モーター、スーパーコンダクター、超伝導モーター、超伝導発電機、燃料電池、熱放出体といったものを包括するグループから構成される。
Ｅ伝達体は、ワイヤー、ワイヤレス、電線、ヒートパイプ、パイプ、線、道、コネクターといったものを包括するグループから構成される。
Ｅ保有体は、バッテリー、蓄電池、コンデンサー、コイル、超伝導コイル、超伝導コンデンサーといったものを包括するグループから構成される。
Ｅ生成体は、燃料電池、熱電池、エネルギー電池、電池、バッテリーや蓄電池といったものを包括するグループから構成される。
Ｅ生成要素体は、水素、酸素、金属、石油、アルコール、天然ガス、有機物、無機物、パーティクル、気体、液体、固体、プラズマといったものを包括するグループから構成される。
電界、磁界、時期、運動、相対差、量や質量を生成する素である。
Ｅ変換体は、Ｅ変換装置、変形装置、変化装置、反応炉といったものを包括するグループから構成される。
Ｅコンデンス体は、コンプレッサー、濃度制御装置、濃度コントロール体、凝縮体、凝縮装置、拡大体、拡大装置、変形層体変形装置といったものを包括するグループから構成される。
Ｅ保有容体は、コンテイナー、絶縁体、熱機構、ボディー、吸音体といったものを包括するグループから構成される。
Ｅ構成体は、アーキテクチャー、マトリクス、フレーム、ボディー、ストラクチャー、固体、金属、プラスチック、液体、気体、シールド、シート、プラズマ、フィールド、解、界、空海陸、構成要素、構成物、構成材、情報、物といったものを包括するグループから構成される。
【０００１２】  本発明は、必要であれば、吉野・タイム・マシン・システムと協力し、未来を予知、推測、シュミレート、解析、記憶、若しくは記録しながら、安全若しくは最適な判断をする機構を有するシステムである。
【０００１３】Ｅ生成体は、燃料電池、熱電池、エネルギー電池、電池、バッテリーや蓄電池といったものを包括するグループから成り、Ｅ生成要素体である水素、酸素、金属、石油、アルコール、天然ガス、有機物、無機物、パーティクル、気体、液体、固体、プラズマといったものを包括するグループから、エネルギーを出す。燃料電池は、プロトン・イクスチェンジ・メンブレン燃料電池、アルカリ燃料電池、フォスポリック・アシッド燃料電池、ソリッド・オキサイド燃料電池、モルテン・カーボネート燃料電池、水素・酸素・燃料電池、水酸燃料電池といったものを包括するグループから構成される。
燃料電池や燃料発熱からくる燃料推進力を、簡単にすると〔式１〕となる。
2006339133.tif 000117
【０００１４】  熱効率を上げるため、熱機構を有する。熱機構は断熱機構や熱伝達機構を有する。断熱機構は断熱材や断熱容器や断熱壁により構成されている。エレメントが壁面と衝突する際、ほぼ完全弾性的なバウンスや反射をすることにより、ほぼ完全な断熱機構を有する。壁面は非常に硬いか、ばねの様な構成をしていて、エレメントを跳ね返す。壁面の反対側は、真空か気体か液体か固体でありえる。液体化水素のようなものを入れて、温度を低く保つのも本発明の選択の一つとする。熱伝達機構として、ほぼ真空、気体、液体、固体、プラズマ体、ヒートパイプやペルチエ素子を有する。
【０００１５】  本発明は、オルターネティヴに超伝導体、スーパーコンダクター体を有する。超伝導体は超伝導体の磁石やモーターや発電機や冷却体や制御体により構成される。超伝導モーターや超伝導発電機はブラシレスのものを含む。冷却体や制御体は温度調整体、冷却装置体や冷却要素体を有する。温度調整体は、ピエゾ素子や熱・電気変換機や電気・熱変換機や温度センサーや制御機を含む。冷却要素体は、超伝導体、水、空気、天然ガス、気体、液体、固体、水素、酸素、窒素、液体水素、液体酸素、液体窒素、液体ヘリウムを含む。
冷却装置体はイオン・冷却装置やフィールド・冷却機を含む。
フィールド冷却機は、フィールドを利用して、冷却要素体を冷却する。それを表記する際、簡単にした式は、〔式２〕となる。ここで、Ｐは圧力、ρは密度、νは速度、ｈは高さ、
ｇは重力係数、ｋはフィールド係数、ηは電荷や磁荷や電化係数や磁化係数や荷密度、φは電界や磁界や電解率やフィールドやフィールド・ポテンシャルやフィールド・デンシティー。添え字はインデックスであるが、ほかの選択も色々ある。また、パーティクルの温度を下げたとき、〔式３〕のように、エネルギー・ノーバが予測できる。
2006339133.tif 000118
2006339133.tif 000119
【０００１６】  Ｅ制御体や超伝導制御体は、フィードフォーワード制御、フィードバック制御、ＰＷＭやＰＩＤ制御、非線形制御、最小値制御、自動微分制御、自動積分制御、ファジー制御、ニューラル制御、アドバンスド・ファジー制御、アドバンスドニューラル制御のような最適制御を使用する。
そして、フーリエ変換、フーリエ解析、フーリエ補正、ＦＦＴ、を使って、解析、推測、未来予測をしてもよい。
2006339133.tif 000120
ｖ（ｔ）＝Ｐｃ（ｔ）十Ｒｕ（ｔ）
ｃはステート・ファンクション。酵素、酵素とプロテイン反応、ポジション、高速、速度、加速度、光、若しくは光速のようなものである。
2006339133.tif 000121
は、
Ｅはエンティティー、エネルギー、エントロピー、クリテリオン・ファンクション。
Ｍは質量。Ｎは重さ。
2006339133.tif 000122
このＥを最小値化するとする。これは、
ｃ（ｔ）＝−Ｖｕ（ｔ）．である。
また、ポッター、シャーラのやり方で、
Ｖ＝Ｎ−１（ＫＴ＋ＢＴＰ）
ここで、
Ｐ（Ａ−ＢＮ−１ＫＴ）＋（Ａ−ＢＮ−１ＫＴ）ＴＰ−ＰＢＮ−１ＢＴＰ＋Ｍ−ＫＮ−１ＫＴ＝０
2006339133.tif 000123
Ｈ＝ＵＬＵＴ
2006339133.tif 000124
ＰＵ１１＝Ｕ２１
とする。
【０００１８】  また、第２の課題解決手段は、吸音材、吸音容器、吸音壁を配置する構成としたものである。これらは、振動がほぼ伝わらないため、熱機構として兼用される。
【０００１９】  本発明は、必要ならば、移動体が瞬間移動する機構を有する。これは、吉野システムによってなされる。
【発明の効果】
【０００２０】  上述したように本発明のエコロジー・システムは、非常に効率よく運営されることができる。実施の形態によっては、ほぼ永久機関のようであることも可能である。
【０００２１】  本発明は、とても静かなエコロジー・システムである。
【０００２２】  本発明は、未来を予知若しくは推測しながら、最適な判断をすることができる。つまり、車や乗り物に関与する実施の形態によっては、事故が減るという効果を発揮するものである。そして、未来のノイズ・シグナルの予測とそれに瞬時に対応する。
【０００２３】  本発明において、移動体については効率よく、どこでも瞬間移動することができる。
【発明を実施するための最良の形態】
【０００２４】フィードバック・コントロール。ＰＷＭ＋ＰＩＤコントロール
スペシャルモーター（スーパーコンダクター）
Ｅｘａｍｐｌｅ：モーター／ジェネレーター／モーター＆ジェネレーター／スーパーコンダクター／超伝導運動装置／超伝導発電装置／超伝導モーター／超伝導ジェネレーター／超伝導・モーター＆超伝導・ジェネレーター／Ｋａｚｕｔｏｒａとレインボーの地球愛・超伝導ユニット。
具体的な数値表示と、それらのアバウト：
４０ｃｍｘ４５ｃｍ
１２．５ｋＷ
１００ｒｐｍ
Ａｃｔｕａｌｌｙ，ｇｅｔｔｉｎｇ  ４００ｋＷ  ｔｏ  １００ｋＷ  ｉｓ  ｐｏｓｓｉｂｌｅ．
Ｆｏｒｃｅ：
Ｆ＝ＢＩＬＮ：
１Ｔｘ２Ａｘ０．２ｍｘ１００００＞＝４Ｎ．
１Ｔｘ８Ａｘ０．４ｍｘ１００００＞＝３２ｋＮ．
１０Ｔｘ１０Ａｘ１ｍｘ１０００００＞＝１０ＭＮ．
Ｔｏｒｑｕｅ：
Ｔ＝ＦＲ，ｆｏｒ  ｃａｌｃｕｌａｔｉｏｎ  ｏｒ  ｅｓｔｉｍａｔｉｏｎ，Ｒ＝Ｌ
４ｋＮｘ０．２ｍ＞＝０．８ｋＮｍ
本発明の最適の形態は、磁化されたレアメタルやＭｇといった金属に、（液体）水素をしみこませる。これと、超伝導マグネットを組み合わせて、超伝導モーターや超伝導発電（機）を構成させる。摩擦、振動、熱、エネルギー、（又は、外部エネルギー）を利用して、水素の発生をさせ、その水素を液化して、超伝導体の冷却に使用、若しくは燃料電池に使用する。
ここで、液体水素や液体酸素、冷却機で超伝導体や超伝導マグネットを囲むようなモーターや発電機でもよい。
ここで、本願でコイルと表記があるが、これは、単純コイル、若しくは電磁石、若しくはコイル＋スーパーアロイをも含む。
ここで表せてあるデータは思考実験（例えば、ニューラル・ネットワーク／脳／インテリジェンスによる計算）である、若しくは、コンピューターによるシュミレーションであり、発明の説明をするために便宜上示されているだけのものである。
【図面の簡単な説明】
【０００２５】
【図１】光子、電子、陽子、重要視、銃陽子、重陽子、音子、フォトン、フォノン、フォノン・エレクトロン、エレクトロン、ポジトロン、トリトン、パーティクル、ウェーブ、素粒子、超弦のどれか、若しくはこれらのコンビネーションを使った、未来予知装置。そのシュミレーションモデルの例の１つを簡単に説明。
【図２】光子、電子、陽子、重要視、銃陽子、重陽子、音子、フォトン、フォノン、フォノン・エレクトロン、エレクトロン、ポジトロン、トリトン、パーティクル、ウェーブ、素粒子、超弦のどれか、これらのコンビネーションを使った、未来予知装置。パーティクルの状態とその変化量をセンサーで検知したり、検視したり、見てその特徴をつかむ。その特徴から未来情報解析をする。
【図３】光子、電子、陽子、重要視、銃陽子、重陽子、音子、フォトン、フォノン、フォノン・エレクトロン、エレクトロン、ポジトロン、トリトン、パーティクル、ウェーブ、素粒子、超弦のどれか、若しくはこれらのコンビネーションを使った、未来予知装置。それぞれの未来でのインターアクションによって、状態は変化する。最初のパート部分若しくは、時若しくは、時間、間隔においてセンサーによって検知、検視された情報、センス・インフォを元に、未来予測もしくは未来情報の解析をする。それぞれのインターアクションによって、これらのセンス・インフォはその特徴に相違性を示す。ブレーン・ウェーブなどによる、センス・インフォも考慮できる。センサーでの検知が必要であってもよい。インスピレーションもしくは、知的な推測も含む。
【図４】吉野・多次元・ジンジャー・タイプ・タイム・マシン。超弦理論により、オーダーに合わせて、未来推測。イニシャル・シークエンスの特徴より未来情報判断。
【図５】吉野・リング・タイプ・タイム・マシン。相補干渉を利用した未来予測タイムマシン。リング、映像、情報、素粒子、エレメント、超弦、彫像、超像、超増、超升、ベンゼンリング、有機リング、勇気を持った人たちの和と輪の融合による未来予測。
【図６】吉野・多次元・タイプ・タイム・マシン。吉野・無限・タイム・マシンの一部。Ｃ６０、Ｃ７０、有機物、素粒子、超弦、兆間、勇気エレメントをもった人たちが手をつないでする未来の予測システム。
【図７】ヒカリ・ビーム、レーザー、電子ビーム、陽電子ビーム、トリトン・ビーム、バイオン・ビーム、フォノン、ニュー音、ミュー音、素粒子ビームたちのインターアクションによる吉野・ＬＲ・タイプ・タイム・マシンのひとつの例。ダイオード・ダイオードレーザー、レーザー、ビーム発生装置、センサー、イミッター、レシーバー、解析機、コイル、超伝導マグネット、超伝導コイル、波動解析装置、音発生体。吉野・（オフィス用）スモール・タイム・マシンの例。
【図８】ブレーン・ウェーブ・コントローラー、ブレーン・ウェーブ・イミッター、ブレーン・ウェーブ・レシーバー、ブレーン・ウェーブ・ミュー・変換機。
【図９】多層型ウェーブ・システム、短波長とか長波長とかに分けて、別のセクションで、エネルギーに変換する。
【図１０】多層型ウェーブ・システム、短波長とか長波長とかに分けて、別のセクションで、エネルギーに変換する。ここで、フォーカス・ポイント／セクション／ユニットを持っていてもよい。
【図１１】水素、酸素、燃料の金属へ吸引させたり、発散させたり、しみこませたり、出したり、イン・アウト、インターアクションを示したもの。その際、エネルギーの出し入れがあるのを利用した燃料電池。
【図１２】Ｓｈａｍｏｃｈａｎ人形、ロボット、ミュージック・プレイヤー、レコーダー。これは、吉野システム、人工知能、燃料、水素、酸素、燃料電池、コンパクトディスク、ハードディスク、目、成長部、芽、花、鼻、口、顔、頭、耳、手、体、足、モーター、エンジン、駆動部、コントローラー、尻尾、ＵＳＢコネクター、ワイヤレス・システム、バッテリー、イヤフォン、ミュージック・ディバイス、ディバイス、コンピューター、メモリー、記録媒体、再生機、変換機、コミュニケーター、スピーカー、バターン認識システム、音声認識システム、画像認識システム、脳といった構成物の組み合わせからなる。音楽にあわせてダンスをしたり、意見を言ったり聞いたり、コミュニケートしてもよい。インタネットから、音楽をダウンロードしたり、アップデートしたりしてもよい。
【図１３】吉野・エコロジー・システムの概要。Ｅ・フローの表現。Ｅはエネルギー、熱、エントロピー、エンティティー、クリテリオン・ファンクション、物理的／エンティティー。基本的に、エネルギーは、効率的にコントロールされているか増加するようなシステム。準永久機関。
【図１４】吉野・エコロジー・システムの概念的に大まかなセッティング。超伝導モーター、超伝導ジェネレーターと燃料電池、バッテリー、燃料、冷却部／装置、コントローラーが組合わされている。基本的に、必要なところに、直接Ｅを送るか、貯めて送るかを選択してＥをコントロールする。
【図１５】吉野・エコロジー・システムの概念的に大まかなセッティングの他の形態。
【図１６】吉野・エコロジー・システムの概念的に大まかなセッティングの他の形態。
【図１７】スーパー・冷却・装置。ポテンシャルを使って、より効率よく、よりコンパクトに、より低音で、より低温を作る。
【図１８】レーザーとポテンシャルを使った、粒子を冷却する装置。絶対零度以下を出すことが効果の一部である。
【図１９】冷却装置／冷却コンテイナー。断熱材や、真空を使うことによって、温度の変化が壁を隔ててほとんどない。熱／音／冷たいものはフォノンとなって２７を伝わり、２１で反射して、熱／音／冷たいものに戻る。エネルギーの保存、温度の保存、若しくはＥの保存が達成される。
【図２０】冷却装置／冷却コンテイナーの他の形態。
【図２１】冷却装置／冷却コンテイナーの他の形態。
【図２２】コイル、若しくは超伝導コイル、若しくはエネルギー保有体が、羅列（マトリクス、アレイ、配列、配置）されていて、その間をエネルギー、磁束、自足がジャンプ・アラウンドする。その紺と炉ラーが存在する。
【図２３】コイル、若しくは超伝導コイル、若しくはエネルギー保有体が配置されていて、モーター、ジェネレーター、モーター・ジェネレーターを作る。ブラシレス・超伝導・モーター、ブラシレス・超伝導・ジェネレーター、ブラシレス・超伝導・モーター＆ジェネレーターとしてもよい。
【図２４】超伝導ユニット若しくは超音波ユニット。これは、回転する。
【図２５】（１）超伝導コイルによる磁束、自足、ホップ、ステップ、ジャンプ的なローテーションによるローテーション／回転。モーター若しくはジェネレーターとして使う。コイルの巻き数は時と場合によって変えることができる。ｒｐｍのコントロールもできる。（２）コイルの形態はシンプルでも良い。ここでは、其々のフィールド／（コイル）を示している。
【図２６】モーター、超伝導モーター若しくはジェネレーター、超伝導ジェネレーター。超伝導マグネット、スーパー・アロイ、とても強い磁石を利用してもよい。また、これらや超伝導マグネット、コイル、スーパー・マグネットを組み合わせて作ってもよい。鍵は、磁界が巨大に強ければ、ほんの少しの電流でも、巨大な、トルクとｒｐｍが出るということである。もちろん、（より）強力な磁界と大電流による（より）強力な磁界のインターアクションでもより大きな力が発生する。光や音による回転が組み合わされてもよい。
【図２７】超伝導モーターＡｎｄ／Ｏｒ超伝導発電体（装置）。超伝導マグネット、スーパー・アロイ、とても強い磁石を利用してもよい。また、これらや超伝導マグネット、コイル、スーパー・マグネットを組み合わせて作ってもよい。鍵は、磁界が巨大に強ければ、ほんの少しの電流でも、巨大な、トルクとｒｐｍが出るということである。もちろん、（より）強力な磁界と大電流による（より）強力な磁界のインターアクションでもより大きな力が発生する。多層型のマグネットでもよい。
【図２８】超伝導モーターＡｎｄ／Ｏｒ超伝導発電体（装置）。多重レイヤーマグネット、ハイブリッド・マグネットでもよい。
【図２９】超伝導モーターＡｎｄ／Ｏｒ超伝導発電体（装置）  超伝導マグネットが冷却体に冷やされている。冷却液が液体水素の場合、これは超伝導体により、発熱され水素のとある形態に変換される。そして、燃料電池で、酸素と反応をして、水となりエネルギーを発生させる。
【図３０】スーパー・冷却装置を使った、超伝導モーター／超伝導ジェネレーター／超伝導モーターＡｎｄ／ｏｒ超伝導ジェネレーター。冷却体が超伝導体を冷やす。もし、冷却体が液体水素だと、それを燃料電池に送り、効率のよい発電ができる。冷却体は、液体水素と液体酸素であってもよい。これは、
【図３１】冷却装置がフルに駆動しながらコントローラーで必要なだけ燃料電池に燃料を送る。
【図３２】電気分解機によって発生する酸素と水素をより効率よく燃料電池と冷却きに（再）利用する。
【図３３】制御システム、無線制御装置、制御ユニット、イミター、レシーバー、司令部、メモリー、回路、ＬＳＩ、ＩＣ。
【図３４】制御システム、無線制御装置、制御ユニット、イミター、レシーバー、司令部、メモリー、回路、ＬＳＩ、ＩＣ。
【図３５】制御システム、無線制御装置、制御ユニット、イミター、レシーバー、司令部、メモリー、回路、ＬＳＩ、ＩＣ。
【図３６】制御システム、無線制御装置、制御ユニット、イミター、レシーバー、司令部、メモリー、回路、ＬＳＩ、ＩＣ。
【図３７】永久機関／準永久機関／単振動体。超伝導体の中で電子が二つ対をなせばほぼ永久機関に近いものになる。
【図３８】振動体。カップラー。
【図３９】吉野・エコロジー・システム・乗り物／移動体・型。
2006339133.tif 000125
【図４０】吉野・エコロジー・システム・ボックス  ダイアグラム。これらの正しいコンビネーションたち。適宜に、整頓・組み合わせ直したり、必要にあわせてたし引きしていい。コネクションも表示してあるが、適宜な組み合わせにしてよい。スイッチャーがこれらのコネクションにおいて、正しいチャンネリングをする。つまり、必要な箇所に必要なものを必要なだけ送る。
【図４１】吉野・エコロジー・システム・ボックス  ダイアグラム。これらの正しいコンビネーションたち。整頓した概念図。
【図４２】吉野・エコロジー・システムをコンパクト化してもよい。
【図４３】吉野・エコロジー・システムをプラクティカル化してもよい。ダブル・タイフーン（ダブル・風車が回る）。
【図４４】吉野・エコロジー・システムをコンパクト化してもよい。吉野・エコロジー・システムをプラクティカル化してもよい。風を受ける部、走る部、スローダウンする際／ブレーキをかける際エネルギーを充電する部。ソーラー・パネルはオプション／オルターネティヴである。
【図４５】チャージャーとスイッチャーのセッティング。キャパシター、バッテリーがスイッチャーの間にある。
【図４６】チャージャー。スイッチャーが内蔵されたセッティング。他の形態。
【図４７】チャージャーのスイッチャーによるＥコントロール。
【図４８】チャージャー。複数のスイッチャーとバッテリーが配列されていて、適宜にエネルギーをコントロールする。
【図４９】スイッチャーの原理。理にかなった範囲において、Ｅを好きな方向に好きなだけチャンネルする。Ｅの送受信を適宜に行う。
【図５０】モーター若しくはジェネレーターのエネルギー・保存体。コイル、キャパシター（チャージャー）、スイッチャーの組み合わせによって、エネルギー・バウンスを行う。この際、特に超伝導体、超伝導コイル、超伝導キャパシターを使い、エネルギー効率を上げる。必要なら、抵抗、トランジスタ、集積回路（ＩＣ）、ＬＳＩ、若しくはコントローラーをつけてもよい。モーション・エネルギー変換といった変換体として使用する。自足、磁束、ジャンパーなどと組み合わせてもよい。
【図５１】風車型のビークル。
【図５２】エネルギー・変換体の他の形態。
【図５３】エネルギー・変換体の他の形態。超伝導体若しくはモーションへの一括コントロール。
【図５４】Ｅ変換装置のダイアグラム。スーパー・コンダクター・コイル／マグネットをしよう。自足、磁束、ジャンパーなどと組み合わせてもよい。
【図５５】Ｅ変換装置のダイアグラム。磁束密度のコントロールを行う。コイル数／マグネットの力は部所によって違ってもよい。
【図５６】フィードバック制御。未来情報が過去にフィードバックされてもよい。
【図５７】ＰＩＤ制御例、ＰＷＭ制御と組み合わせて使われていてもよい。早く目的のバリューへアプローチさせる。
【図５８】吉野・エコロジー・システム・プラクティカル・モデル。抵抗をエネルギーに変換したり、余力をチャージャーにチャージしたりする。
【図５９】シート型・構成物・プリカーサー。これらをきったり、張ったり、折りたたんだり、溶接したりして、構造物を創っていく。その家（ハウジング）も重要。その工程も重要。
【図６０】アサインメント型・構成物の準備体。ほとんど、無駄なく部品／材料／エレメントとして使われていく。
【図６１】アセンブラされた構造物。ここでは車。
【図６２】吉野・エコロジー・システム。ハウス（家）とビークル（車）への応用とコミュニケーション。
【図６３】吉野・エコロジー・システムの組み合わせ例。必要に応じて、ちゃんねリングする。
【図６４】右のコネクションはエンティティやエネルギー、エントロピー、Ｅ。左のコネクションはエレメント。２，３，５より６／２／１７／１９はエネルギー補給。７‘、８’はエレメントとの相関エレメント。燃料電池と、冷却機と、超伝導体、Ｅコントロール装置のシナジーを作って、効率をアップするシステム。燃料電池は表示体の選択、組み合わせでもよい。（限定されるわけではないが、特に、図３０から図３２と比較すると、理解しやすい。）
【図６５】ライン。
【図６６】ラインのほかの形態。
【図６７】ライン上に、電磁石若しくはマグネットによって、覆われた／囲まれた／添付された速度／モーション  コントロール（制御体）。電車／リニアモーターをエネルギーの無駄なくスローダウンするのに役立つ。つまり、電荷を持つとか磁荷（マグネティック・ポール）を持つビークルがとまるときレンツの法則によって得られるｄＢ／ｄｔからくるエネルギーをチャージャー／バッテリーにチャージしなおす。駅（ステーション）感覚が短いときに特に有効。
【図６８】そのときのエネルギー分布。ここで、横軸は、時（間）か空（間）。ここで、縦軸はＥ（エネルギーといったＥ）。
【図６９】トレイン（電車若しくはリニアモーター（カー））を上から見た図。
【図７０】トレインの最初のセクション（頭と次のセクション）をサイドから見た図。ここで、吉野フローターの原理が使われてもよい。フローターの原理とは、超伝導若しくは浮上用エンジン、ジェット・エンジンの使用によるものである。また、吉野フローターの原理より、走行時の垂直抗力と推進力の間の関係式から来る最適重量の計算と制御をコントロールする。
【図７１】吉野エコロジー・システム。シップの図。超伝導モーターＡｎｄ／ｏｒ超伝導ジェネレーター搭載。デッキにソーラー・発電・システムや、マストをつけると燃料については、ほぼただのような金額でものを輸送できる。
【図７２】吉野エコロジー・システム。シップ若しくは潜水艦の図。水中ジェットなどを搭載。音がほとんどしない。シャッターつきジェット・エンジン搭載で将来的には、飛ぶ艦。吉野・多環境型・スペース・シップのプリカーサー。ペット・ボトル・ロケットの原理でジャンプするのでもよい。３缶輪型潜水艦でもよい（安定する）。魚の浮きの原理を利用してもよい。
【図７３】シャモ・チャン。キャリヤー。ショッピングなどに最適。耳にアンテナ、体や手で人やものを運んだりする。
【図７４】伸縮性の手（マジック・ハンド）を持っていてもよい。
【図７５】吉野・フローター・ジェット機。宇宙機、飛行機若しくは潜水艦。斜め／垂直に離陸（アップ／テイク・オフ）して飛び立つ。そこから、適宜に飛んで、垂直に着陸（タッチダウン／テイク・オン）する。
【図７６】吉野・フローター・ジェット・エンジンの概念ダイアグラム。
【図７７】吉野・フローター・ジェットの概念ダイアグラム。熱とかいったＥ解析の想定／ラフ・シュミレーション。
【図７８】宇宙トラベラーの上から見た図。三管型でもよい。
【図７９】Ｙ．Ｕ．エンジン。イクスチェンジャーで水素燃料と酸素燃料をミックスしてもよい。無線／有線によるプライオリティー・オリエンテッド（優先順位型）によるコントロール／システム搭載。栓による燃料コントロールの際、ＰＩＤ、ＰＷＭコントロールなどを使ってもよい。
【図８０】燃料ミックス。ダイアグラム。
【図８１】Ｅ・ディストリビューションの分布をわかりやすく概念的に栓で表示したもの。
【図８２】宇宙トラベラー・他の形態。イクスチェンジャーなし。方向制御の際、ボディー・ウエイト・シフトをしてもよい。
【図８３】エネルギー・発生のコントロールをして、方向、速度、加速度をコントロールする形態。
【図８４】吉野ラム・エンジンとＥ・分布の表示。水素や酸素燃料を使った推進エンジン。
【図８５】吉野フローターの横から見た図。吉野カズ虎・エンジン／吉野システムを搭載していてもよい。
【図８６】吉野フローターの下から見た図。ファンがついていてもよい。ラム・エンジンを足につけていてもよい。
【図８７】吉野フローターの斜め図。吉野システム搭載。進行方向の危険なところを未然に教えてくれてもよい。若しくは、安全のため吉野システム・セーフティー・オート・パイロットにしてもよい。ヘッドを回転することによって、進行方向を選択してもよい。コントローラーはヘッドについていてもよい。
【図８８】吉野フローターの他の形態のＵＶ図。空気（エア）を吸収、噴射して飛び回る。ファンはついていてもついていなくてもよいが、目的にあって選択してもよい。信仰（思考パターンをキャッチしてコントロール）／進行することによって、浮上してもよい。
【図８９】吉野フローターの足の部分。ラム・エンジンでもよい。
【図９０】吉野フローターの足の部分の他の形態。ファンをつけてもよい。
【図９１】吉野・プラズマ・ジェット・方向・コントロール・システム。若しくは、吉野・プラズ・シート・方向・コントロール・システム。プラズマ・ジェットＡｎｄ／ｏｒソーラー・ジェットＡｎｄ／ｏｒプラズマ・シートを電界や超伝導マグネット・スーパー磁界でコントロール。宇宙の温度が低いのを利用する。磁界のコントロールは左右にしてもよい。若しくは、複数の磁場コントロール体があってもよい。足を三脚のように広げれてもよい。プラズマ・ジェット舵とり（フィニング）であってもよい。基本は、プラズマの噴出とその方向コントロールである。ここで、他の形態として進行方向からの受け取り、放出若しくは、後方への放出、受け取りでもよい。
【図９２】吉野・プラズマ・方向・コントロール・システム。コントローラーとフィールド・ジェネレーター。フィールドやポテンシャルはフリップしてもよい。より効率よくプラズマ体の向きを変える。
【図９３】カバーや、プラズマ・シートを身につけ身（ボディー）を守ってもよい。これによって、ソーラー・ジェットに押されてもよし。
【図９４】微細なコントロールによって、微細な方向選択をしてもよし。
【図９５】吉野フライング・オブジェクトのエンジンの概念図。フィールドコントローラーによる方向とパワーコントロール。これらがいろいろな方向に向けられ、より微細なコントロールがなされる。
【図９６】吉野フライング・オブジェクトのラムタイプの概念的な断面図。エネルギー・反応炉が中心にあり、噴射ダクトがついている。エネルギー保存／熱保存／運動量保存の法則によって瞬時に方向転換して飛び回る。
【図９７】吉野フライング・オブジェクトの断面図。ダクト、エネルギー・チャンネリングをして、自由自在な動き、方向、回転、フリップ、フロップ選択をする。栓（ゲート）による最適チャンネリング・コントロールをしてもよい。
【図９８】吉野一虎・多環境型・宇宙船。他宇宙を含む。吉野・未来・タイム・マシン・システムをも含む。これらの総合体のビークル（乗り物）である。
【図９９】瞬間コピー若しくは瞬間移動のダイアグラム。吉野システムを使って、情報を過去に送る。瞬間コピー若しくは瞬間移動のダイアグラム。
【図１００】複数型、瞬間コピー若しくは瞬間移動のダイアグラム。
【図１０１】超・瞬間移動・フェアラエバー・システム。それらのシークエンス若しくは他の形態のダイアグラム。時・空・情報場に変化を与え、エレメントを瞬間にパス／バイパス／瞬間移動する。
【図１０２】（質量が大きければ準・）永久機関／若しくは交差システム。相対座標・メリーゴーランド・型による、質量コントロールによる永久機関。デルタ・質量をほぼ一定に保ち、相対回転速度を一定に保つ。複数（単純なのは２つ）の相対回転ボディー（体）／若しくはライン体を持つ。基本的には完成・慣性の法則で動くが、エンティティーのやり取りができるのが特殊効果。スーパー・リフター若しくは、スーパー・物流に使うのもよし。実施例として、吉野システムＡｎｄ／ｏｒ吉野・エコロジー・システムを搭載した吉野フライング・オブジェクトが惑星の周りを回っている月に物資を運び、月が移動した後、吉野フライング・オブジェクトが物資を配る。トランスポーテーションにおけるポテンシャルエナジーとキネティック・エナジーは吉野・エコロジー・システムにより保存される。
【図１０３】同様に、ブラック・ホールも利用できる。その重力場・エネルギーを利用する。
【図１０４】ここに、“Ｌｅｖｅｌ  エミリー”の吉野システムの説明をする。カズが多ければ、本来、統計は平たくなるはず。が、平たくなければ、そのギャップや統計的逆数やＣ．Ｒ．や相関から、次に出てくる値が推測できる。重心的に推測値のセンター・バランスをとってもよい。また、ラウンド・ファンクションとしてとるのでもよい。ディストリビューションを利用してもよい。アルゴリズムの微分やアルゴリズムの積分やそのコンビネーションが、推測力や解析力をアップする。特に、最適化制御に友好的。本発明により、正解確立アップができる。未来は予測可能である。（Ｆｕｔｕｒｅ  ｉｓ  ｅｘｐｅｃｔａｂｌｅ．）特に、マスにおいて平等であるべき分布に非対称性や非平等性があるときは、未来予測がたやすくなる。（マーケット、株、経済予測にも使える。）もし、あるべきかたちにないものがあれば、あるべきかたちと今のかたちから、次が推測できて、あるべき形に持ってゆくようなうんどうやあるべきかたちを早世や創生できる。無限において平等である際、その中間は平等であるとは限らない。つまり、無限にいたるまでは、あいまい領域というものが存在するということである。もし、はじめからＮ個の箱の中に、本当にランダムに平等にものを入れていこうとすると、それは、規則正しくものを入れていくことになるようなものであり、次にどこに入れるのかが明白に成ってしまうようなものである。もし、入れ方がデタラメなら、そこから分布確立が計算でき、未来確立が計算できてしまい、これは、必ずしも本当にランダムとはいえなくなってしまう。本発明により、クリスタル・確立、エミリー・ナンバーやカズ虎・テンソルによる解析、若しくは推測ができる。ここで、クリスタル・確立とは、データから予測された予測確立やその表である。ついでに、アシュリー・バランスという予測値も役立つ。これは、クリスタル・確立から、最ももっともらしい予測とかバランスの取れた予測である。レベッカ・デルタ・フォースとは、クリスタル・確立と実際の値のデルタである。レベッカ・デルタ・フォースとは、アシュリー・バランスと実際の値のデルタである。若しくは、レベッカ・デルタ・フォースとは、エミリー・ナンバーと値のデルタである。ここで、エミリー・ナンバーとは、どこでいつどのくらいの値が予期されるかという指標やカウントやプロットや量や質や表や値や数である。エミリー・ナンバーは投資や競馬（ホース・ダービー）に役立つ。また、カズ虎・テンソルやカズ虎・インデックスとは、エミリー・ナンバーをテンソル若しくはインデックス表示したものである。若しくは、それをカウントしたものである。カズ虎・レーショとはその正解確立と本当はランダムである確立との比である。量子コンピューターにも役立つ。また、これはＤＮＡコンピューターとも合わせて役立てる。また、世礼菜・的確性とは、予測値と実際の値の差をプロットしたときに出てくるバンドウィズである。若しくは、世礼菜・的確性とは、正確にあっているときを１００点等として、相違点があると点が引かれたり、点が足されたりするシステムである。若しくは、世礼菜・的確性とは、正確な値との偏差値である。世礼菜・的確性は、人工知能の的確さ、推測の的確さにも役立つ。綾子の愛とは、これらによって、どれだけ利益があるかを計算した知識や値、量である。  推測値とそうなったときの利益・お金の相乗もしくは、掛け合わせなどの和で表現されてもよい。綾子の愛は、推測の経済的利益を把握するのに役立つ。
【図１０５】図１０５は０から１０までの値を持つデタラメ（ランダム）係数をプロットしたものである。
【図１０６】図１０６は、０から１０の値を持つデタラメ（ランダム）係数から、デタラメ（ランダム）に０から１０の値を引いたものである。−９＜＝世礼菜・的確性＜＝８である。
【図１０７】図１０７は、レベッカ・デルタ・フォース（上図の値と推測された値の差）をプロットしたものである。−６＜＝世礼菜・的確性＜＝７である。明らかに、バンドウィズからもその的確性を示している。ちなみに、複数回のトライアルにおいて、カズ虎・レイショは、１．４以上である。普通デタラメ（ランダム）に推測される値よりも、高い確率で実際の値を推測できる。そして、これは、普通デタラメ（ランダム）に推測される値よりも、高い確率でデタラメ（ランダム）の値を推測できる。世礼菜・的確性を上げることにより、綾子の愛である利益と利益率を上げることができる。ここで、吉野一虎・満足係数とは、生命体、団体の満足度を示すものと、未来における満足指数を表すものであるとする。そして、吉野一虎・満足係数をサティスファイするように、その個人統計、グループ統計、全体統計を計算して利用する。吉野一虎・オペレーションは、これらを統合若しくは統括して、幸せを作るオペレーションである。
【図１０８】吉野・エコロジー・システム。画像認識／無線／人口知能によってパーク／運転してもよい。ここで、パークしているとき、電磁波（無線）でエネルギーをチャージしてもよい。（電波Ａｎｄ／ｏｒソーラー・エネルギー）。
【図１０９】ソーラー・パネル・発電、ソーラー・シングル・発電、ウィンド発電をする家の実施例。
【図１１０】吉野エコロジー・システム・コントローラーのダイアグラム。
【図１１１】ウルトラ・ピープル・ズ。弱きを助け、正義を貫く。吉野システム搭載。宇宙を飛び回ることができ、人々の防衛のために戦ってくれる。吉野宇宙の保護神のメンバー。ブーメランやビームやレーザーや光線やエネルギー波動などによって、モンスターたちをやっつける。生命エネルギー／知能／人工知能による防衛機能などを持たせて、生命体／人工生命体／ロボットとして防衛に使用するのもよし。蒸着法やスパッタリングやプラズマ・コーティングによる鉛・コーティング／タングステン・コーティング／放射能遮断物質による、放射能からの保護層。ＤＬＣ／ダイヤモンド／防弾ガラス粒子／防弾チョッキによる弾からの保護。ヘッド・マスクによる化学兵器からの保護。抗菌層（物質）による、生物兵器からの保護。スペシャル・スーツを着るのが基本だが、必要なら、常着、変身、コミュニケーション、若しくはコックピットからの操縦若しくは巨大化があってもよい。
【図１１２】複数のロッド（チューブ）的な構造を持つ、変形機構。大きなものでも、ナノ・チューブによるものでも、マイクロマシンによるものでも良い。駆動性が良く、ベアリングとして使うのも可能。
【符号の説明】
以下の符号の説明は、それか、それらの中から適宜になされた選択によるものか、それらから適宜なものたちの適宜なコンビネーションか適宜なアセンブリによるものである。
１  エネルギー、ヒカリ・エネルギー、核・エネルギー、ウィンド・エネルギー、熱、音、振動、摩擦、光線、電波、ガス・エネルギー、石油・エネルギー、石炭・エネルギー、水力・エネルギー、生命力・エネルギー、エントロピー、最小化・ファンクション、質量、紙、もの、必要なもの、燃料、燃料物質、液体燃料、気体燃料、ガス、固体燃料、科学燃料、物理燃料、化学燃料、思想、思考、バーチュアル・エネルギー、思考エネルギー、資源、燃料資源。
２  光合成システム、光合成装置、ヒカリ・合成システム、ヒカリ・システム、ソーラー・パネル、ソーラー・シングル、シングル、ＤＬＣコーテッドシリコン、ダイヤモンドコーティングソーラー発電パネル／フィルム、ソーラー・フィルム、樹脂コーティング・太陽電池、太陽電池、ソーラー屋根、ソーラー壁、コーティングなしのソーラー壁、ソーラー・フロア、ダイヤモンド・コーティング・ソーラー・システム、ソーラー・ガラス、ソーラー・シリコン、クリスタル、ソーラー・システム、太陽光発電装置、ヒカリ発電ペイント、ソーラー・クリスタル、ソーラー・ファーム、ファンファーム、ファンファーレ、風力発電、マスト、変換機、変換素子、熱電気変換機、電気熱変換機、エネルギー変換機、核融合炉、核反応炉、ガス・エネルギー・ジェネレーター、天然ガス発電機、ジェネレーター、エンジン、モーター、発電機、天然ガス・エンジン水素エンジン、ターボ・モーター、ターボ・エンジン、エネルギー・変換機、ヒートパイプ、ペルチエ素子、ピエゾ素子、地熱発電、温度差発電、空気発電、水力発電、熱発電、エネルギー発電、燃料・電池・発電、プラズマ・エンジン、ラム・エンジン、ジェット・エンジン、燃料、物質・エネルギー変換機、真空・エネルギー・変換機。
３  バッテリー、キャパシター、コンデンサー、電界コンデンサー、電池、燃料電池、太陽電池、コイル、エネルギー・チャージャー、エネルギー・保有体、エントロピー・保有体、Ｅ／デルタＥ  チャージャー。
４  エネルギー・分解、電気分解、電気分解装置、エレクトライシス。
５  エネルギー・メーカー、電気メーカー、燃料電池、フュエル・セル。
６  コンプレッサー、温度コントロール。
７  気体、ガス、状態１、Ｈ２、Ｈ２Ｏ、Ｏ２、ＣＯ２、水、水素、酸素、二酸化炭素、エア、空気、天然ガス、無機物、金属、炭水化物、有機物、科学物質、化学物質、物理物質、単気体、混合気体、単液体、混合液体、単固体、混合固体、単プラズマ体、混合プラズマ体、
８  液体、リキッド、状態２、Ｈ２、Ｏ２、Ｈ２Ｏ、ＣＯ２、水、水素、酸素、二酸化炭素、空気、天然ガス、無機物、金属、炭水化物、有機物、科学物質、化学物質、物理物質、単気体、混合気体、単液体、混合液体、単固体、混合固体、単プラズマ体、混合プラズマ体、
９  液体、リキッド、状態２、Ｈ２、Ｏ２、Ｈ２Ｏ、ＣＯ２、水、水素、酸素、二酸化炭素、空気、天然ガス、無機物、金属、炭水化物、有機物、科学物質、化学物質、物理物質、単気体、混合気体、単液体、混合液体、単固体、混合固体、単プラズマ体、混合プラズマ体、
１０  液体、リキッド、状態２、Ｈ２、Ｏ２、Ｈ２Ｏ、ＣＯ２、水、水素、酸素、二酸化炭素、空気、天然ガス、無機物、金属、炭水化物、有機物、科学物質、化学物質、物理物質、単気体、混合気体、単液体、混合液体、単固体、混合固体、単プラズマ体、混合プラズマ体、
１１  オプショナル・エンジン、エンジン、水素エンジン、水素＆酸素エンジン、
１２  燃料電池、フュエル・セル。
１３  エネルギー変換機、運動量生成装置、エネルギーから運動量をつくる装置、電気から動力を生成する装置、熱エネルギー発生装置、エネルギー発生装置、エネルギー生成装置、モーター、ジェネレーター、スーパー・コンダクター、超伝導モーター、超伝導ジェネレーター、超伝導モーター・ジェネレーター、コントローラー、超伝導マグネット、マグネット、電極、冷却装置、制御装置、コンピューター、人工知能、メモリ、ＣＰＵ、ＬＳＩ、プログラム、ソフトウェアー、ハードウェアー。
１４  動力、エネルギー、キネティック・エネルギー、熱、振動、超音波、エントロピー、最小化・ファンクション。
１５  電気・エネルギー、エネルギー、エントロピー、最小化・ファンクション。
１６  熱、エネルギー、エントロピー、最小化・ファンクション。
１７  モーター、エンジン、水素モーター、水素エンジン、ターボ・モータ、ターボ・エンジン、超音波・モーター、フラット・モーター、コラム・モーター、ボックス・モーター、エネルギー・モーター。
１８  電気・パワー・システム、
１９  超伝導体、超伝導・モーター、超伝導・ジェネレーター、超伝導・モーター＆超伝導・ジェネレーター、プラズマ・エンジン、ジェット、ラムエンジン、ヒカリ発生装置、エネルギー発生装置、波動生成装置。
ブラシレス・超伝導・モーター、ブラシレス・超伝導・ジェネレーター、ブラシレス・超伝導・モーター＆ブラシレス・超伝導・ジェネレーター、
超伝導磁石、スーパーコンダクター・マグネット、スーパーコンダクター・コイル、コイル、スーパーコンダクター・キャパシター、スーパーコンダクター・コンデンサー、キャパシター、スーパーコンダクター・タイプＩ・マグネット、スーパーコンダクター・タイプＩＩ・マグネット、スーパーコンダクター・タイプＩＩＩ・マグネット。
２０  冷却機、クール・システム、クーリング・システム、冷却体、放熱板、ヒートパイプ、ターボ・冷却機、ターボ・クーリング・システム。
２１  ボディー、コンテイナー、コントローラー、Ｅコントロール体、車体、断Ｅ体、断熱体、断熱材、壁、ポテンシャル・メーカー、超・熱反射体、断熱内部体、真空、真空体、ガス体、液体、固体、プラズマ体、ダイヤモンド、ダイヤモンド・ライク・カーボン、セラミック、超伝導体、スーパーコンダクター、銀、アルミ、金属、科学物質、物理物質。
２２  ポテンシャル・メーカー、フィールド・ジェネレーター、電位差メーカー、電界発生体、ボルト・メーカー、磁界発生体、マグネティック・ポテンシャル・メーカー、マグネティック・フィールド・メーカー、電磁波発生装置、電磁場発生装置、マイクロウェーブ・発生装置、イオン発生装置、チャージ・発生装置、ビーム・発生装置、レーザー、レーザー・ビーム、電子発生装置、陽電子発生装置。
２３  電極、チャージ、イオン、イオン発生装置、チャージ・発生装置、Ｅ／デルタＥ・トランスポーテーション。
２４  コンプレッサー、圧力発生機、モーター、ポンプ、圧縮機、発散機、エネルギー・コントロール・ユニット、エントロピー・コントロール・ユニット、クリテリオン・ファンクション・アナライザー、温度コントロール・ユニット、コントロール、ＩＣチップ、ＣＰＵ、ＬＳＩ、プログラム、ソフトウェアー、ハードウェアー、制御装置、コンピューター、人工知能、メモリ。
２５  レーザー、レーザービーム、デンシ・レーザー、デンシセン、陽電子・レーザー、陽電子・コンピューター。
２６  チューブ、パイプ、ヒートパイプ、冷却パイプ、運搬パイプ、コンテイナー、道、内容物を入れるもの、エレメントやキャラクターを入れるもの、チャージ・キャリヤー、イオン・パイプ、エレクトロン・パイプ。
２７  シンク、真空、ガス、断熱材、断エネルギー材、断エントロピー材、液体、冷却液、あっためる液、圧力液、圧力ガス、容器、貯める部、固体、繊維、ゼリー、アイス、ドライアイス、水素、酸素、窒素、空気、冷機、冷却機。
２８  コイル、マグネット、超伝導コイル、超伝導マグネット、チョイット・コイル、チョイット・ジャンプ・マグネット、順次自足マグネット、順次補給マグネット、順次磁束体、コントロール。
２９  コントローラー、キャパシター、コイル、抵抗、トランジスタ、ダイオード、ＬＥＤ、ＩＣ、時間差・ジェネレーター、コントローラー、チョイット・ジャンプ・ジェネレーター、チョイット・ジャンプ・コントローラー、順次自足サプライ、磁束補給コントロール。
３０  容器、液体容器、
３１  弁、栓、コントロール、
３２  ダクト、パイプ、ヒートパイプ、流路、区域、茎機構、乾燥部、イン・アウト部、バス、路、幹。
３３  電気発生体、センサー、センシング・デバイス、コントローラー、スプリング、ロッド、独立四輪走行システム、走行用の４つのシャフト／ロッドが独立に動くようなシステム、単数／複数のタイヤ／運動量・変換体が単数／複数のギヤ／コントロール・ディストリビューターによって独立に機能する／動くシステム、複数のモーターが独立にコントロールする／動くシステム、シャフト、ギヤ、ベアリング、エネルギー・チャージャー、ヒート・電気・変換機、運動量・電気変換機。
３４  ドライバー、ソフトウェア、ハードウェア、コントローラー、２次・コントローラー、サポート・コントローラー。
３５  吉野システム、コンピューター、人工知能、アドバンスド・ニューラル・ネットワーク、シュミレーター、アナライザー、コントローラー、セントラル・プロセッシング・ユニット、ＣＰＵ、モルティプル・プロセッシング・ユニット、ＭＰＵ、ミディア・プロセッシング・ユニット、集積回路、主席回路、コミュニケーター、検知機、未来検知機、センサー、センシング・ディバイス、測定装置、解析装置、ミュージック会席機、ミュージック解析機、周波数解析装置、フーリエ解析装置、ファースト・フーリエ解析（装置）、ファジー・推測機、ニューラル・ファンクション・解析機、ニューラル・ファンクション・推測機、ニューラル・ネットワークス、コンボリューション解析、フーリエ・コンボリューション、確立解析装置、プロバビリティー・力、プロバビリティー・解析装置、推測アルゴリズム、ミニマム・オカリング・マックス・プロバブル・アルゴリズム、前に出たやつは次にあまり出ないというアルゴリズム、ディヴィジョナル・プロバビリティー・アルゴリズム、プログラム、ソフトウェア、ハードウェア、ディストリビューション・アナリシス、スタティスティクス・アナリシス・ディヴヴァイス、記録装置、メモリー、メモリア（吉野システムによる未来記録：Ｍｅｍｏｒｉａ＝Ｍｅｍｏｒｙ  ｏｆ  ｆｕｔｕｒｅ）、エミリー・ナンバー・解析装置、エミリー・ナンバーによる推測装置、カズ虎・テンソル・解析装置、カズ虎・テンソルによる推測装置、ファースト・暗号読取装置、コード解析装置、コード、指令を送るユニット、指令などに合わせてそれぞれのユニットと情報のやり取りを行うユニット、それぞれのユニットと情報のやり取りを行うユニット。
３６  クラッチ、オプショナル・クラッチ、
３７  シグナル・キャッチャー、シグナル・イミッター、シグナル・コミュニケター、インフォメーション・チャンネル、アンテナ、シグナル・コントローラー、イン・アウト・部。
３８  複数のキャッチャー・イミッター・コントローラー、バックアップ・ユニット、バイパス。
３９  シグナル・コントローラー、シグナル・ハンドラー、ドライバー。
４０  メモリ、ハードディスク、ハードドライブ、ＣＤ、ＤＶＤ、記録媒体、記録部、アナライザー、コンピューター。
４１  アウト、イミッター、シグナル・イミッター、
４２  コントローラー、ドライバー、波・発生装置、振動発生部、音波創生システム、システム。
４３  イン、レシーバー、シグナル・レシーバー
４５  ディスプレイ、３Ｄ  ディスプレイ、３Ｄディジタイザー、カメラ、３Ｄインプットｏｒアウトプット、
４６  磁石振動体、動力体、モーター、
４７  記録メディア、記録媒体、ハードディスク、コンパクト・ディスク、ミニ・ディスク、メモリ、メモリア、磁気テープ、磁気媒体、時期記録媒体、ディスプレイ、インプット、アウトプット、センサー、タッチパネル、画像認識装置、パターン・レコグニション・システム。
４８  ロボット・ハンド、フレーム
５０  スティック、ワンド、指揮棒、
５３  ヘッド・サポート
５５  口、スピーカー、コネクター、スイッチ
５６  鼻、センサー、
５７  目、カメラ、レンズ、絞り、アイリス、コンタクト、ビデオ・カメラ、フォトダイオード、ＬＥＤ、ＬＣＤ、ＣＭＯＳ、
５８  耳、マイクロフォン、アンテナ、イヤフォン、伸び縮みするワイヤーのイヤフォン、
７０  ユニバーサル・バス、ＵＳＢ、ワイヤレス、アンテナ、
７７  スイッチャー、スイッチ、トランジスタ、スイッチング・トランジスタ、スイッチ・ＩＣ、ＴＴＬ、Ｃ−ＭＯＳ、レジスタ、キャパシター、コイル、可変抵抗、可変コンデンサー、可変コイル、ダイオード、セラミック、バッテリー、ヒートパイプ、熱抵抗体、電気機器、ねじ、パーツ、システム、コントローラー、レシーバー、イミッター、コンピューター、オプティカル・ディバイス、オプティカル・インスタルメンツ、インスタルメンツ、変換機、解析機、微分回路、積分回路、Ｄ／Ａ変換機、Ａ／Ｄ変換機、コンバーター、Ｆ／Ｖコンバーター、Ｖ／Ｆコンバーター、制御機、ＰＷＭ制御機、ＰＩＤ制御機、非線形制御機、人工知能機、ファジー制御機、ニューラルネットワーク体、最適制御システム、システム、吉野システム。
７８  ウィール、タイヤ、ラウンド・オブジェクト、ウラン、プルトニウム、核反応炉、核融合炉、エネルギー発生体、運動量発生装置。
７９  イグニション、点火部、発火部、
８０  反応炉、リアクション部、プロモーター、
８１  センサー、検査部、検知部、センシング・ディバイス
８２  イクスチェンジ・ユニット、イクスチェンジャー、
９０  圧力室、プラス・デルタ・圧力室、プラス・デルタ・圧力室、デルタ・圧力コントロール室、揮発物、液体水素、２ＭＨｎ、ｎＨ２＋２Ｍ、気体水素、容器。
１００  圧力室、マイナス・デルタ・圧力室、マイナス・デルタ・圧力室、デルタ・圧力・コントロール室、液化物、揮発物、液体水素、ｎＨ２＋２Ｍ、２ＭＨｎ、気体水素、容器。
【手続補正３】
【補正対象書類名】図面
【補正対象項目名】全図
【補正方法】変更
【補正の内容】
【図１】
2006339133.tif 000126
【図２】
2006339133.tif 000127
【図３】
2006339133.tif 000128
【図４】
2006339133.tif 000129
【図５】
2006339133.tif 000130
【図６】
2006339133.tif 000131
【図７】
2006339133.tif 000132
【図８】
2006339133.tif 000133
【図９】
2006339133.tif 000134
【図１０】
2006339133.tif 000135
【図１１】
2006339133.tif 000136
【図１２】
2006339133.tif 000137
【図１３】
2006339133.tif 000138
【図１４】
2006339133.tif 000139
【図１５】
2006339133.tif 000140
【図１６】
2006339133.tif 000141
【図１７】
2006339133.tif 000142
【図１８】
2006339133.tif 000143
【図１９】
2006339133.tif 000144
【図２０】
2006339133.tif 000145
【図２１】
2006339133.tif 000146
【図２２】
2006339133.tif 000147
【図２３】
2006339133.tif 000148
【図２４】
2006339133.tif 000149
【図２５】
2006339133.tif 000150
【図２６】
2006339133.tif 000151
【図２７】
2006339133.tif 000152
【図２８】
2006339133.tif 000153
【図２９】
2006339133.tif 000154
【図３０】
2006339133.tif 000155
【図３１】
2006339133.tif 000156
【図３２】
2006339133.tif 000157
【図３３】
2006339133.tif 000158
【図３４】
2006339133.tif 000159
【図３５】
2006339133.tif 000160
【図３６】
2006339133.tif 000161
【図３７】
2006339133.tif 000162
【図３８】
2006339133.tif 000163
【図３９】
2006339133.tif 000164
【図４０】
2006339133.tif 000165
【図４１】
2006339133.tif 000166
【図４２】
2006339133.tif 000167
【図４３】
2006339133.tif 000168
【図４４】
2006339133.tif 000169
【図４５】
2006339133.tif 000170
【図４６】
2006339133.tif 000171
【図４７】
2006339133.tif 000172
【図４８】
2006339133.tif 000173
【図４９】
2006339133.tif 000174
【図５０】
2006339133.tif 000175
【図５１】
2006339133.tif 000176
【図５２】
2006339133.tif 000177
【図５３】
2006339133.tif 000178
【図５４】
2006339133.tif 000179
【図５５】
2006339133.tif 000180
【図５６】
2006339133.tif 000181
【図５７】
2006339133.tif 000182
【図５８】
2006339133.tif 000183
【図５９】
2006339133.tif 000184
【図６０】
2006339133.tif 000185
【図６１】
2006339133.tif 000186
【図６２】
2006339133.tif 000187
【図６３】
2006339133.tif 000188
【図６４】
2006339133.tif 000189
【図６５】
2006339133.tif 000190
【図６６】
2006339133.tif 000191
【図６７】
2006339133.tif 000192
【図６８】
2006339133.tif 000193
【図６９】
2006339133.tif 000194
【図７０】
2006339133.tif 000195
【図７１】
2006339133.tif 000196
【図７２】
2006339133.tif 000197
【図７３】
2006339133.tif 000198
【図７４】
2006339133.tif 000199
【図７５】
2006339133.tif 000200
【図７６】
2006339133.tif 000201
【図７７】
2006339133.tif 000202
【図７８】
2006339133.tif 000203
【図７９】
2006339133.tif 000204
【図８０】
2006339133.tif 000205
【図８１】
2006339133.tif 000206
【図８２】
2006339133.tif 000207
【図８３】
2006339133.tif 000208
【図８４】
2006339133.tif 000209
【図８５】
2006339133.tif 000210
【図８６】
2006339133.tif 000211
【図８７】
2006339133.tif 000212
【図８８】
2006339133.tif 000213
【図８９】
2006339133.tif 000214
【図９０】
2006339133.tif 000215
【図９１】
2006339133.tif 000216
【図９２】
2006339133.tif 000217
【図９３】
2006339133.tif 000218
【図９４】
2006339133.tif 000219
【図９５】
2006339133.tif 000220
【図９６】
2006339133.tif 000221
【図９７】
2006339133.tif 000222
【図９８】
2006339133.tif 000223
【図９９】
2006339133.tif 000224
【図１００】
2006339133.tif 000225
【図１０１】
2006339133.tif 000226
【図１０２】
2006339133.tif 000227
【図１０３】
2006339133.tif 000228
【図１０４】
2006339133.tif 000229
【図１０５】
2006339133.tif 000230
【図１０６】
2006339133.tif 000231
【図１０７】
2006339133.tif 000232
【図１０８】
2006339133.tif 000233
【図１０９】
2006339133.tif 000234
【図１１０】
2006339133.tif 000235
【図１１１】
2006339133.tif 000236
【図１１２】
2006339133.tif 000237